(57)【要約】【課題】キー操作についてのヘルプ機能を適切に実現する。【解決手段】印刷装置であって、押下釦式のキー１０２と、ユーザがキー１０２を押した状態を検知するキー押下検知部と、ユーザに向けて情報を表示する表示部１６と、印刷装置の動作を制御する制御部とを備え、キー１０２は、キー１０２を押す場合にユーザが接触する部分であるキートップと、キートップにユーザが接触したことを感知するタッチセンサとを有し、制御部は、キー押下検知部及びタッチセンサの出力に基づき、ユーザがキー１０２を押下した状態と、キー１０２を押下せずにユーザがキートップに接触した状態とを区別して検知し、キー１０２を押下せずにユーザがキートップに接触した状態を検知した場合、表示部１６に、当該キー１０２をユーザが押下した場合に印刷装置が行う動作を説明する情報を表示させる。【選択図】図４
2010061497.tif 000002
【特許請求の範囲】
【請求項１】
ユーザから受け付ける指示に従って動作する印刷装置であって、
前記ユーザの指示を受け付ける押下釦式のキーと、
前記ユーザが前記キーを押した状態を検知するキー押下検知部と、
前記ユーザに向けて情報を表示する表示部と、
前記印刷装置の動作を制御する制御部と
を備え、
前記キーは、
前記キーを押す場合に前記ユーザが接触する部分であるキートップと、
前記キートップに前記ユーザが接触したことを感知するタッチセンサと
を有し、
前記制御部は、
前記キー押下検知部及び前記タッチセンサの出力に基づき、前記ユーザが前記キーを押下した状態と、前記キーを押下せずに前記ユーザが前記キートップに接触した状態とを区別して検知し、
前記キーを押下せずに前記ユーザが前記キートップに接触した状態を検知した場合、前記表示部に、当該キーを前記ユーザが押下した場合に前記印刷装置が行う動作を説明する情報を表示させることを特徴とする印刷装置。
【請求項２】
前記制御部は、前記キーと、当該キーを前記ユーザが押下した場合に前記印刷装置が行う動作との対応関係の割り付けを、そのタイミングにおいて前記印刷装置が行っている動作に応じて変更し、
前記キーを押下せずに前記ユーザが前記キートップに接触した状態を検知した場合、前記制御部は、前記表示部に、表示を行うタイミングにおいて当該キーに割り付けられている前記動作について説明する情報を表示させることを特徴とする請求項１に記載の印刷装置。
【請求項３】
複数の前記キーを備え、
前記制御部は、前記複数のキーのそれぞれについて、前記印刷装置が行う動作を割り付け、
予め設定された組み合わせ又は順番で前記複数のキーの少なくと一部を前記ユーザが押下した場合、当該組み合わせ又は順番に応じて、少なくとも一部の前記キーについて、前記制御部は、当該キーに割り付ける前記動作を変更することを特徴とする請求項２に記載の印刷装置。
【請求項４】
ユーザの指示を受け付ける押下釦式のキーを備える印刷装置に対する前記ユーザの操作を支援する印刷装置の操作支援方法であって、
前記キーを押す場合に前記ユーザが接触する部分であるキートップに前記ユーザが接触したことを感知するタッチセンサの出力と、前記ユーザが前記キーを押した状態を検知するキー押下検知部の出力とに基づき、前記キーを前記ユーザが押下した状態と、前記キーを押下せずに前記ユーザが前記キートップに接触した状態とを区別して検知し、
前記キーを押下せずに前記ユーザが前記キートップに接触した状態を検知した場合、表示部に、当該キーを前記ユーザが押下した場合に前記印刷装置が行う動作を説明する情報を表示することを特徴とする印刷装置の操作支援方法。
【請求項５】
ユーザの指示を受け付ける押下釦式のキーを備える印刷装置に対する前記ユーザの操作を支援するプログラムであって、
前記キーを押す場合に前記ユーザが接触する部分であるキートップに前記ユーザが接触したことを感知するタッチセンサの出力と、前記ユーザが前記キーを押した状態を検知するキー押下検知部の出力とに基づき、前記キーを前記ユーザが押下した状態と、前記キーを押下せずに前記ユーザが前記キートップに接触した状態とを区別して検知するキー状態検知処理と、
前記キーを押下せずに前記ユーザが前記キートップに接触した状態を検知した場合、表示部に、当該キーを前記ユーザが押下した場合に前記印刷装置が行う動作を説明する情報を表示する情報表示処理と
を前記印刷装置に行わせることを特徴とするプログラム。
【発明の詳細な説明】
【技術分野】
【０００１】
本発明は、印刷装置、印刷装置の操作支援方法、及びプログラムに関する。
【背景技術】
【０００２】
印刷装置（プリンタ）には、ユーザの操作を受け付けるボタン等のキーが設けられる場合がある。この場合、印刷装置は、例えば、ユーザによるキー操作（ボタン操作）により、印刷条件の設定や動作タイミング等の指示をユーザから受け付ける。
【発明の開示】
【発明が解決しようとする課題】
【０００３】
印刷装置により印刷を行う場合、通常、ユーザによる頻繁なキー操作は必要とならない場合が多い。そのため、コスト削減の観点から、例えば業務用の大型プリンタ等において、このようなキーの数は、極力少数に抑えられる場合がある。また、この場合、キーに割り付けられる機能は、例えば、そのタイミングにおいて印刷装置が行っている動作に応じて、適宜変更される。
【０００４】
しかし、業務用の大型プリンタ等の印刷装置において、ユーザがキーによって行う操作には、様々なものがある。そのため、このようなキーの割り付けの変更を行うと、状況によってキーの持つ意味が変化することとなる。そして、その結果、キーに割り付けられている機能をユーザが適切に把握することが困難になる場合がある。また、これらをすべて説明書で調べることをユーザに求めるとすれば、ユーザの負担が大きくなり、印刷装置の操作性が大きく低下する。
【０００５】
これに対し、従来、例えば、情報処理装置のヘルプ操作について、ヘルプキーを操作することによりヘルプデータを表示する方法が知られている（例えば、特許文献１参照。）。しかし、ユーザにとってより操作しやすい印刷装置を提供するには、印刷装置により適した方法が望まれる。例えば、キーの数が少ない印刷装置により適した方法が望まれる。そこで、本発明は、上記の課題を解決できる印刷装置、印刷装置の操作支援方法、及びプログラムを提供することを目的とする。
【特許文献１】特開平５−１１９８９３号公報
【課題を解決するための手段】
【０００６】
上記の課題を解決するために、本発明は、以下の構成を有する。
（構成１）ユーザから受け付ける指示に従って動作する印刷装置であって、ユーザの指示を受け付ける押下釦式のキーと、ユーザがキーを押した状態を検知するキー押下検知部と、ユーザに向けて情報を表示する表示部と、印刷装置の動作を制御する制御部とを備え、キーは、キーを押す場合にユーザが接触する部分であるキートップと、キートップにユーザが接触したことを感知するタッチセンサとを有し、制御部は、キー押下検知部及びタッチセンサの出力に基づき、ユーザがキーを押下した状態と、キーを押下せずにユーザがキートップに接触した状態とを区別して検知し、キーを押下せずにユーザがキートップに接触した状態を検知した場合、表示部に、当該キーをユーザが押下した場合に印刷装置が行う動作を説明する情報を表示させる。このキーは、例えば、ユーザの指示に応じて印刷装置を操作するためのキーである。印刷装置が行う動作を説明する情報とは、例えば、そのキーを押下することで何ができるか、押下するとどうなるか等のキー操作の説明である。
【０００７】
このように構成した場合、例えば、キー操作の説明を、ユーザがキーを押下する前に、素早く適切にユーザに表示できる。これにより、ユーザは、説明書等と照らし合わせることなく、キーを押下する前に、キー操作の内容について知ることができる。そのため、このように構成すれば、キー操作についてのヘルプ機能を適切に実現できる。
【０００８】
また、例えば印刷装置が複数のキーを備える場合、ユーザは、実際にキーを押すことなく、各キーに順次接触することにより、それぞれのキーのキー操作の説明を確認できる。また、これにより、ユーザは、次に押すべきキーを適切に決定できる。そのため、このように構成すれば、複数のキーに対しても、キー操作についてのヘルプ機能を適切に実現できる。
【０００９】
（構成２）制御部は、キーと、当該キーをユーザが押下した場合に印刷装置が行う動作との対応関係の割り付けを、そのタイミングにおいて印刷装置が行っている動作に応じて変更し、キーを押下せずにユーザがキートップに接触した状態を検知した場合、制御部は、表示部に、表示を行うタイミングにおいて当該キーに割り付けられている動作について説明する情報を表示させる。
【００１０】
キーに割り付けられる印刷装置の動作が変更される場合、印刷装置の動作の各タイミングにおいて、キーに実際にどのような動作が割り付けられているかは、より把握し難くなる。これに対し、このように構成すれば、例えば、各タイミングにおいて、キー操作の説明を、ユーザに適切に表示できる。また、これにより、例えば、印刷装置の操作性をより適切に高めることができる。
【００１１】
（構成３）複数のキーを備え、制御部は、複数のキーのそれぞれについて、印刷装置が行う動作を割り付け、予め設定された組み合わせ又は順番で複数のキーの少なくと一部をユーザが押下した場合、当該組み合わせ又は順番に応じて、少なくとも一部のキーについて、制御部は、当該キーに割り付ける動作を変更する。
【００１２】
この場合、それまでに押下されたキーの履歴に応じて、キーへの動作の割り付けが複雑に変更するおそれがある。しかし、このように構成すれば、各タイミングにおいて、キー操作の説明を、ユーザに適切に表示できる。また、これにより、例えば、印刷装置の操作性をより適切に高めることができる。
【００１３】
（構成４）ユーザの指示を受け付ける押下釦式のキーを備える印刷装置に対するユーザの操作を支援する印刷装置の操作支援方法であって、キーを押す場合にユーザが接触する部分であるキートップにユーザが接触したことを感知するタッチセンサの出力と、ユーザがキーを押した状態を検知するキー押下検知部の出力とに基づき、キーをユーザが押下した状態と、キーを押下せずにユーザがキートップに接触した状態とを区別して検知し、キーを押下せずにユーザがキートップに接触した状態を検知した場合、表示部に、当該キーをユーザが押下した場合に印刷装置が行う動作を説明する情報を表示する。このようにすれば、例えば、構成１と同様の効果を得ることができる。
【００１４】
（構成５）ユーザの指示を受け付ける押下釦式のキーを備える印刷装置に対するユーザの操作を支援するプログラムであって、キーを押す場合にユーザが接触する部分であるキートップにユーザが接触したことを感知するタッチセンサの出力と、ユーザがキーを押した状態を検知するキー押下検知部の出力とに基づき、キーをユーザが押下した状態と、キーを押下せずにユーザがキートップに接触した状態とを区別して検知するキー状態検知処理と、キーを押下せずにユーザがキートップに接触した状態を検知した場合、表示部に、当該キーをユーザが押下した場合に印刷装置が行う動作を説明する情報を表示する情報表示処理とを印刷装置に行わせる。このように構成すれば、例えば、構成１と同様の効果を得ることができる。
【発明の効果】
【００１５】
本発明によれば、例えば、キー操作についてのヘルプ機能を適切に実現できる。また、これにより、例えば、印刷装置の操作性を適切に高めることができる。
【発明を実施するための最良の形態】
【００１６】
以下、本発明に係る実施形態を、図面を参照しながら説明する。図１は、本発明の一実施形態に係る印刷装置１０の構成の一例を示す。印刷装置１０は、例えばインクジェット方式で印刷を行うインクジェットプリンタ等であり、印刷処理部１２、キー入力部１８、表示部１６、キー状態検知部２０、及び制御部１４を備える。
【００１７】
尚、印刷装置１０は、例えば業務用の大型プリンタ等であってよい。また、印刷装置１０は、例えば媒体がロール状に巻かれたロール状媒体を用いる印刷装置であってよい。この場合、印刷装置１０は、例えば、媒体を切断する機能を更に有する。
【００１８】
印刷処理部１２は、例えば印刷ヘッド、ヘッド駆動機構、及び媒体搬送機構等を有する部分である。印刷処理部１２は、これらの構成により、例えば、制御部１４の指示に応じて、媒体の各位置へインク滴を吐出する。これにより、印刷処理部１２は、媒体への印刷処理を実行する。
【００１９】
キー入力部１８は、キー入力によるユーザの操作を受け付ける部分である。本例において、キー入力部１８は、複数のキーを有する。それぞれのキーは、押下釦式のキーであり、ユーザにより押されることにより、ユーザの指示を受け付ける。これにより、印刷装置１０は、ユーザから受け付ける指示に従って動作する。
【００２０】
また、本例において、それぞれのキーは、ユーザによる接触を感知するタッチセンサを有する。このタッチセンサは、キーを押す場合にユーザが接触する部分であるキートップにユーザが接触したことを感知する。
【００２１】
尚、本例のキー入力部１８において、キー１０２の数は、例えば１０個以下（例えば２〜１０個）である。キー１０２の数は、５個以下（例えば３〜５個）であってもよい。このように構成すれば、例えば、キー１０２の個数の増加によるコスト増を適切に抑えることができる。
【００２２】
表示部１６は、ユーザの操作を支援する情報をキー入力部１８の近傍において表示する小型表示器（ディスプレイ）である。表示部１６は、例えば液晶パネル等の表示パネルであってよい。本例において、表示部１６は、キー入力部１８の各キーについて、制御部１４に指示に応じて、キー操作の説明を表示する。
【００２３】
キー状態検知部２０は、キー入力部１８におけるキーの状態を検知する部分である。本例において、キー状態検知部２０は、キー押下検知部２０２及びキー接触検知部２０４を有する。キー押下検知部２０２は、キー入力部１８の各キーに対し、例えばキーが押される圧力を感知する圧力センサ等の出力に基づき、ユーザがキーを押した状態を検知する。また、キー押下検知部２０２は、検知結果を、制御部１４に伝える。
【００２４】
キー接触検知部２０４は、各キーのタッチセンサの出力を検知する部分であり、タッチセンサの出力に応じて、ユーザがキーに接触したことを検知する。また、キー接触検知部２０４は、検知結果を、制御部１４に伝える。
【００２５】
制御部１４は、印刷装置１０の全体を制御する部分である。制御部１４は、例えば印刷装置１０のＣＰＵであり、例えば印刷装置１０の制御用のプログラムに従って、印刷装置１０の各部を制御する。また、制御部１４は、キー入力部１８及びキー状態検知部２０を介して受け取るユーザに指示に基づき、印刷装置１０の動作を制御する。
【００２６】
また、本例において、制御部１４は、キー押下検知部２０２及びキー接触検知部２０４の出力に基づき、ユーザがキーを押下した状態と、キーを押下せずにユーザがキートップに接触した状態とを区別して検知する。ユーザがキートップに接触した状態とは、例えば、ユーザの手、指等がキートップに接触した状態である。そして、ユーザがキーを押下した状態を検知した場合、押下されたキーに対応付けられている動作を、印刷装置１０に行わせる。また、キーを押下せずにユーザがキートップに接触した状態を検知した場合、接触されたキーについてのキー操作の説明を、表示部１６に表示させる。このキー操作の説明は、例えば、そのキーをユーザが押下した場合に印刷装置１０が行う動作を説明する情報（解説文等）であり、そのキーで何ができるか、押下するとどうなるか等を説明する。
【００２７】
また、本例においては、少ないキーの数で多くの機能を実現させるため、制御部１４は、各キーに対する動作の割り付けを、適宜変更する。キーに対する動作の割り付けとは、例えば、キーが押された場合に印刷装置１０が行う動作と、キーとの対応関係の割り当て（機能割り当て）である。
【００２８】
例えば、制御部１４は、そのタイミングにおいて印刷装置１０が行っている動作に応じて、キーに対する動作の割り付けを変更する。また、制御部１４は、各タイミングにおいて、その前に押下されたキーの履歴に応じて、各キーに対する動作の割り付けを変更する。例えば、予め設定された組み合わせ又は順番で複数のキーの少なくと一部をユーザが押下した場合、その組み合わせ又は順番に応じて、制御部１４は、少なくとも一部のキーに対して、動作の割り付けを変更する。
【００２９】
これらの場合において、キーを押下せずにユーザがキートップに接触した状態を検知した場合、制御部１４は、表示を行うタイミングにおいてそのキーに割り付けられている動作についてのキー操作の説明を、表示部１６に表示させる。
【００３０】
本例によれば、例えば、キー操作の説明を、ユーザがキーを押下する前に、素早く適切にユーザに表示できる。そのため、ユーザは、説明書等と照らし合わせることなく、キーを押下する前に、キー操作の内容について知ることができる。また、例えばキーへの動作の割り付けが複雑に変更する場合にも、各タイミングにおいて、キー操作の説明を、ユーザに適切に表示できる。
【００３１】
更には、本例によれば、例えば、ヘルプキーを操作する等のユーザの意識的な操作によらず、自動的に、キー操作の説明を表示できる。そのため、ユーザは、通常のキー操作の中で、例えばキーを押下する直前に表示部１６を確認することにより、キー操作の説明を確認できる。そのため、ユーザに負担をかけない方法により、キー操作についてのヘルプ機能を適切に実現できる。また、これにより、例えば、印刷装置１０の操作性を適切に高めることができる。
【００３２】
図２は、キー入力部１８について更に詳しく説明する図である。図２（ａ）は、キー入力部１８の構成の一例を示す。図２（ｂ）は、キー入力部１８におけるキー１０２の構成の一例を示す断面図である。
【００３３】
図１に関連して説明したように、本例において、キー入力部１８は、複数のキー１０２を有する。これらのキー１０２は、ユーザによる押下により上下移動する押下釦式のキーである。キー１０２は、例えば、ユーザの押下によりオンになり、ユーザが押下を止めて手を離すことにより、オフになる。
【００３４】
また、それぞれのキー１０２は、キートップ３０２にユーザが接触したことを感知するタッチセンサ３０４を有する。そして、ユーザがキートップ３０２に接触した場合、タッチセンサ３０４の出力に基づき、キー状態検知部２０のキー接触検知部２０４は、ユーザによる接触を検知する。また、ユーザがキー１０２を押下した場合、キー押下検知部２０２は、キー１０２の押下を検知する。そのため、本例によれば、キー１０２が押されることによる機械的な上下動に加え、キートップ３０２に対するユーザの接触を適切に検知できる。また、これにより、それぞれのキー１０２に対し、ユーザがキー１０２に接触していない状態、接触しているがキー１０２を押下していない状態、キー１０２を押下した状態の３つの状態を区別して検出できる。
【００３５】
尚、図では省略したが、キー１０２のキートップ３０２には、それぞれのキー１０２を識別するための文字又は記号等が、キー刻印により表示されている。タッチセンサ３０４としては、各種の公知のセンサを用いることができる。例えば、接触による静電容量の変化を検出する静電容量型のセンサ、可動範囲が極めて小さく、微小な力でオン、オフするマイクロスイッチ、接触による抵抗値に変化を感知する抵抗膜式センサ、指の存在を検出する赤外線センサ等を好適に用いることができる。また、電磁誘導式センサ、画像認識方式センサ、赤外遮光式センサ、その他のセンサを用いてもよい。
【００３６】
図３は、ユーザのキー操作に対して印刷装置１０が行う処理の一例を示すフローチャートである。本例において、ユーザがいずれかのキー１０２に接触した場合（Ｓ１０２：Ｙｅｓ）、そのキー１０２におけるタッチセンサ３０４は、ユーザによる接触を感知する。また、これに応じて、キー接触検知部２０４は、ユーザによる接触を検知し、制御部１４に伝える。これにより、制御部１４は、そのキー１０２へのユーザの接触を検知する。
【００３７】
尚、ユーザがいずれのキー１０２にも接触していない場合（Ｓ１０２：Ｎｏ）、印刷装置１０は、キー操作に対する処理は行わない。この場合、制御部１４は、それぞれのキー１０２に対し、ユーザによる接触の有無の監視を続ける。
【００３８】
そして、ユーザがいずれかのキー１０２に接触した場合、制御部１４は、そのキー１０２に対して、その時点でそのキー１０２に割り付けられている印刷装置１０の動作（現在の機能割り当て）をチェックする（Ｓ１０４）。そして、チェック結果に従って、現在の機能割り当てに対応するキー操作の説明を表示部１６に表示させる（Ｓ１０６）。
【００３９】
また、ユーザがキー１０２に接触した後、更に、そのキー１０２を押下した場合（Ｓ１０８：Ｙｅｓ）、キー押下検知部２０２は、キー１０２の押下を検知し、制御部１４に伝える。これに応じて、制御部１４は、そのキー１０２に割り付けられている動作に応じた処理を実行する（Ｓ１１０）。
【００４０】
尚、キー１０２の押下に応じた処理の実行後、印刷装置１０は、Ｓ１０２に戻り、いずれかのキー１０２に対する次の操作を待つ。また、キー１０２に対する接触のみで、ユーザはキー１０２を押下しなかった場合（Ｓ１０８：Ｎｏ）にも、同様に、Ｓ１０２に戻る。
【００４１】
本例によれば、例えば、ユーザがキーを押下する前に、キー操作の説明を、素早く適切にユーザに表示できる。これにより、例えば、複雑なキー操作の補助を適切に行うことができる。また、ユーザは、実際にキー１０２を押すことなく、キー操作の内容について知ることができる。そのため、ユーザは、例えば、キー１０２の操作を行う場合にその都度説明書等を確認することなく、キー１０２の機能や操作方法等を適切に理解できる。
【００４２】
続いて、表示部１６への表示の具体例を説明する。図４は、表示部１６への表示の具体例を示す図である。尚、以下の説明において、印刷装置１０は、ロール状媒体（ロール紙）に対して印刷を行う大型プリンタである。印刷装置１０は、媒体を切断するカッターを更に備えており、印刷を行った後、媒体をカット（切断）する。また、印刷装置１０は、例えば所定長さ分の媒体に対して印刷を行う毎に、ユーザによるキー操作に応じて、媒体をカットする。但し、媒体をカットする動作に対し、専用のキー１０２は割り付けられていない。
【００４３】
また、キー入力部１８は、文字「Ｆｕｎｃｔｉｏｎ」、左向きの矢印の記号、及び右向きの矢印の記号のそれぞれが表示された複数のキー１０２を有する。キー入力部１８は、その他のキー１０２を更に有してもよい。例えば、キー入力部１８は、文字「ＣＬＥＡＲ」が表示されたキー１０２等を更に有してよい。
【００４４】
そして、印刷装置１０の動作の各タイミングにおいて、制御部１４（図１参照）は、これらのキー１０２のそれぞれに対して、機能割り当てを行う。例えば、媒体をカットする動作中において、制御部１４は、左向き及び右向きの矢印のキー１０２（以下、矢印キーとする）に、媒体のカット位置の座標値を増減させる動作を割り付ける。また、文字「Ｆｕｎｃｔｉｏｎ」が表示されたキー１０２（以下、Ｆｕｎｃｔｉｏｎキーとする）に、カットを実行する動作を割り付ける。この場合、ユーザは、例えば、左右の矢印キーを必要な回数押下することにより媒体のカット位置の座標を決定し、その後、Ｆｕｎｃｔｉｏｎキーを押下することにより、印刷装置１０にカットを実行させる。
【００４５】
この場合、例えばカット等の具体的な動作を示す単語等は、いずれのキー１０２にも表示されていない。そのため、例えば本例のようなヘルプ機能を設けていなければ、説明書等を読まずに正しいキー１０２を選択することは困難である。
【００４６】
これに対し、本例においては、ユーザによるキー１０２への接触に応じて、表示部１６に、キー操作の説明を表示する。例えば、ユーザが矢印キーに接触した場合、制御部１４は、表示部１６に、例えば、「ロール紙の位置を移動できます。その後Ｆｕｎｃｔｉｏｎを押せばロール紙をカットできます」という表示を行わせる。また、ユーザが実際に矢印キーを押下し、次にＦｕｎｃｔｉｏｎキーに接触した場合、制御部１４は、表示部１６に、例えば、「この位置で紙をカットします。」と表示させる。そして、ユーザが実際にＦｕｎｃｔｉｏｎを押下した場合、印刷装置１０は、カットを実行する。
【００４７】
尚、上記の各タイミングにおいて、ユーザが他のキー１０２に接触した場合、制御部１４は、それぞれのキー１０２に応じたキー操作の説明を、表示部１６に表示させる。例えば、ユーザが矢印キーを押下した次のタイミングにおいて、ユーザがＦｕｎｃｔｉｏｎキー以外のキー１０２に接触した場合、制御部１４は、そのキー１０２に対応するキー操作の説明を表示部１６に表示させる。例えば、文字「ＣＬＥＡＲ」が表示されたキー１０２（以下、ＣＬＥＡＲキーとする）をキー入力部１８が更に有し、ＣＬＥＡＲキーにカットのキャンセル動作が割り付けられている場合、ユーザが、Ｆｕｎｃｔｉｏｎキーではなく、ＣＬＥＡＲキーに接触した場合、制御部１４は、表示部１６に、例えば、「キャンセルします。」と表示させる。
【００４８】
以上のように、本例によれば、例えば、キー操作についてのヘルプ機能を適切に実現できる。また、これにより、例えば、印刷装置１０の操作性を適切に高めることができる。
【００４９】
以上、本発明を実施形態を用いて説明したが、本発明の技術的範囲は上記実施形態に記載の範囲には限定されない。上記実施形態に、多様な変更又は改良を加えることが可能であることが当業者に明らかである。その様な変更又は改良を加えた形態も本発明の技術的範囲に含まれ得ることが、特許請求の範囲の記載から明らかである。
【産業上の利用可能性】
【００５０】
本発明は、例えば印刷装置に好適に利用できる。
【図面の簡単な説明】
【００５１】
【図１】本発明の一実施形態に係る印刷装置１０の構成の一例を示す図である。
【図２】キー入力部１８について更に詳しく説明する図である。図２（ａ）は、キー入力部１８の構成の一例を示す。図２（ｂ）は、キー入力部１８におけるキー１０２の構成の一例を示す断面図である。
【図３】ユーザのキー操作に対して印刷装置１０が行う処理の一例を示すフローチャートである。
【図４】表示部１６への表示の具体例を示す図である。
【符号の説明】
【００５２】
１０・・・印刷装置、１２・・・印刷処理部、１４・・・制御部、１６・・・表示部、１８・・・キー入力部、２０・・・キー状態検知部、１０２・・・キー、２０２・・・キー押下検知部、２０４・・・キー接触検知部、３０２・・・キートップ、３０４・・・タッチセンサ
【図１】
2010061497.tif 000003
【図２】
2010061497.tif 000004
【図３】
2010061497.tif 000005
【図４】
2010061497.tif 000006